【事件の表示】
　平成１０年特許願第　１６９３１号「メモリ装置」拒絶査定不服審判事件〔平成１１年　８月　６日出願公開、特開平１１−２１２８６４〕について、次のとおり審決する。
【結　論】
　本件審判の請求は、成り立たない。
【理　由】
１．手続の経緯、本願発明
　本願は、平成１０年１月２９日の出願であって、平成１７年４月８日付け手続補正書で補正された明細書および図面の記載からみて、本願の特許請求の範囲の請求項１に記載された次のとおりのものである。
　   
「【請求項１】　　所定量のデータの処理に必要なメモリ容量を複数の分割メモリに分割して利用するメモリ装置において、
　上記複数の分割メモリは、所定の処理期間中に処理されるデータを記憶している第１のメモリグループと、上記所定の処理期間中に入力されてくるデータを書き込んで記憶する第２のメモリグループと、を上記所定の処理期間が経過した時点で、上記第１のメモリグループのうちの少なくとも１つの分割メモリを除いて交互に切り換え、
　上記除かれた分割メモリに書き込まれた一部のデータは、上記切り換え前後でそれぞれ読み出されて所定の処理に利用されることを特徴とするメモリ装置。」
　 
２．引用例
　これに対し、原査定の拒絶の理由に引用された特開昭６３−５２３８０号公報（以下、引用例１という。）には、以下の事項が図面と共に記載されている。
　
（Ａ）「　記録ディスクに形成された同心円状の各トラックを複数のセクタに分割するとともに、前記各セクタに、音声信号を時間圧縮して順次に分割記録する圧縮音声信号記録装置において、
　音声信号を１セクタに新記録する所定量ずつに分割して形成された１セクタ量の音声データの(N−l)/N(N1)を記憶する容量の２個の主メモリおよび残りの1/Nを記憶する容量の２個の副メモリと、
　１セクタ量の音声データの最初の(N−l)/N、残りの1/Nの一方の前記主、副メモリへの順次書込みと、つぎの１セクタ量の音声データの最初の(N−l)/N、残りの1/Nの他方の前記主、副メモリへの順次書込みとを交互に行なわせる書込み制御手段と、
　前記一方の主メモリの書込み中の前記一方の副メモリ、前記他方の主、副メモリの順次読出しと、前記他方の主メモリの書込み中の前記他方の副メモリ、前記一方の主、副メモリの順次読出しとを書込みより高速で交互に行なわせる読出制御手段と、
（中略）
を備えたことを特徴とする圧縮音声信号記憶装置。」（公報１頁左下欄５行〜右下欄１４行：特許請求の範囲） 
 　 
（Ｂ）「また、第１、第２主メモリ(8)、(9)は、制御信号Wm1、Wm2のハイレベルによつてそれぞれ書込みに制御され、第１、第２副メモリ(12)、(13)は、制御信号Ws1、Ws2のハイレベルによつてそれぞれ書込みに制御される。
　したがつて、tx〜taの最初の期間Taには、制御信号Wm1のハイレベルによつて、最初の期間Twmの音声データ、すなわち期間T4のオーバラツプ期間T3だけ短い部分に圧縮記録される音声信号のデータが、第１主メモリ(8)に書込まれるとともに、制御信号 Ws1 のハイレベルによつて、残りの期間Twsの音声データ、すなわち残りのオーバラツプ期間T3の長さの部分に圧縮記録される音声信号のデータが、第１副メモリ(12)に書込まれる。
　また、ta〜tbの２番目の期間Taには、制御信号Wm2のハイレベルによつて、期間Twm の音声データが第２主メモリ(9)に書込まれるとともに、制御信号Ws2のハイレベルによつて、残りの期間Twsの音声データが第２副メモリ(13)に書込まれる。
　以降、同様の動作のくり返しにより、３番目の期間Taの１セクタ量の音声データは、第１主、副メモリ(8)、(12)に分割して書込まれ、４番目の期間Taの１セクタ量の音声データは、第２主、副メモリ(9)、(13)に分割して書込まれる。」（公報８頁左上欄９行〜右上欄１２行） 
 　 
（Ｃ）「そして、セクタ選択信号によつてセクタ(S0)が指定される期間Twm には、第３図(b)に示すように、生成回路(25)が、記録期間Ts0にハイレベルの記録ゲート信号Grを生成して出力し、セクタ選択信号によつてセクタ(S1)〜(S3)それぞれが指定される期間Twm には、同図(c)、(d)、(c)に示すように、生成回路(25)が、記録期間Tsl、Ts2、Ts3それぞれにハイレベルの記録ゲート信号Grを生成して出力する。
　なお、各記録期間Ts0〜Ts3は、それぞれ第４図(b)のフォーマットの約4msec、すなわち期間Twmより十分短い時間である。
　そして、第２主メモリ(9)に音声データが書込まれる期間Twmには、第２副メモリ(13)および第１主、副メモリ(8)、(12)に保持された音声データを読出して奇数番目のセクタ(S0)または(S2)に圧縮音声信号を記録し、第１主メモリ(8)に音声データが書込まれる期間Twmには、第１副メモリ(12)および第２主、副メモリ(9)、(13)に保持された音声データを読出し、偶数番目のセクタ(S1)または(S3)に圧縮音声信号を記録するため、制御回路(28)は、入力された記録ゲート信号Grにもとづき、つぎに説明するタイミングで各制御信号Rm1、Rm2、RS1、Rs2を形成して出力する。」（公報８頁右下欄１２行〜９頁左上欄１４行） 
 　 
　上記（A）及び図１によれば、主メモリは副メモリの（N−１）倍の容量をもち、主メモリと副メモリによって一組のメモリを構成している。
　
　上記（B）及び図２を参酌すると、期間Taは、主メモリに書き込みが行われる期間Twmと副メモリに書き込みが行われるTws期間からなっている。
　
　上記（B）（C）及び図２によれば、副メモリは１セクタ量の音声データの後端の一部のデータを記憶し、次の１セクタ量の音声データとのオーバーラップ部分として読み出される。
　
 　以上より、引用例１には以下の発明が記載されている。
　
  音声信号を時間圧縮して順次記録する圧縮音声信号記録装置に用いるメモリ装置であって、
　１セクタ量の音声データの(N−l)/N(N1)を記憶する容量の主メモリおよび残りの1/Nを記憶する容量の副メモリからなる２組のメモリを有し、
　前記２組のメモリは、所定の処理期間中には一方の組の主メモリ（８）と副メモリ（１２）に順次書き込み、前記所定の処理期間を経過した時点で他方の組の主メモリ（９）と副メモリ（１３）に順次書き込みを行い、
　前記所定の処理期間中、一方の組の主メモリ（８）への書き込み中に前記一方の組の副メモリ（１２）、前記他方の組の主メモリ（９）、副メモリ（１３）から順次読み出し、前記所定の処理期間経過後の所定期間中、他方の組の主メモリ（９）への書き込み中に前記他方の組の副メモリ（１３）、前記一方の組の主メモリ（８）、副メモリ（１２）から順次読み出すように制御され、
　オーバーラップ部分となる副メモリに書き込まれた一部のデータは、前記所定の処理期間を経過した時点の前後でそれぞれ読み出されて所定の処理に利用されることを特徴とするメモリ装置。
　
 ３．対比・判断
 　
　本願の請求項１に係る発明（以下、前者という）と引用例１に記載された発明（以下、後者という）とを比較する。
　後者では、１セクタ量の音声データを主メモリと副メモリからなる一組のメモリで記憶しているから、２組のメモリでは２セクタ量の音声データを記憶することになり、前者における「所定量のデータの処理に必要なメモリ容量」をもつことになる。
　また、後者では、主メモリは副メモリの（Ｎ−１）倍の容量をもつから、後者の「副メモリ」は前者の「分割メモリ」に対応し、更に、後者の「２組のメモリ」は前者の「複数の分割メモリ」に対応している。
　後者では所定の処理期間を経過した時点で一方の組から他方の組に、又は他方の組から一方の組に書き込みを切り換えているから、前者の「処理されるデータを記憶しているメモリグループと入力されてくるデータを書き込んで記憶するメモリグループを交互に切り換える」ことを行っている。
　また、前者において切り換えから除かれた分割メモリにはデータのオーバーラップ部分が記憶されているので、前者の「除かれた分割メモリ」は後者「オーバーラップ部分となる副メモリ」と対応している。
　
　してみると、両者は次の点で一致している。
　
　所定量のデータの処理に必要なメモリ容量を複数の分割メモリに分割して利用するメモリ装置において、
　上記複数の分割メモリは、所定の処理期間中に処理されるデータを記憶しているメモリグループと入力されてくるデータを書き込んで記憶するメモリグループを、所定の処理期間が経過した時点で、交互に切り換え、
　書き込まれた一部のデータは、上記切り換え前後でそれぞれ読み出されて所定の処理に利用されることを特徴とするメモリ装置　
　
　一方、両者は以下の点で相違している。
　
　後者では、オーバーラップする部分となる副メモリがメモリグループに含まれ、所定の処理期間を経過した時点で２組のメモリは交互に切り換えられるのに対し、前者では、オーバーラップ部分を記憶した分割メモリが、所定の処理期間を経過した時点で、第１のメモリグループから第２のメモリグループに切り換えられる分割メモリから除かれる点、
　
４．相違点についての検討
　
　本願の明細書に記載された実施例において、複数の分割メモリから読み出されて行われる処理としてＭＤＣＴが示され、ＭＤＣＴではサウンドグループ（ＳＧ）の境目においてデータを若干ダブらせて処理を行うことが記載されている。前者においては切り換えから「除かれた分割メモリ」にはサウンドグループ間でダブらせるデータが記憶されることになり、複数の分割メモリ全体の容量は、サウンドグループのデータを記憶するメモリ容量とダブらせた部分を記憶する「除かれた分割メモリ」の容量を合計した容量とになる。これに対し、後者では、オーバーラップさせる部分（ダブらせる部分と同義）は２セクタ量を記憶する２組のメモリ内に存在する副メモリであり、オーバーラップさせる部分のデータを記憶する余分のメモリを有していない。これは、後者においては読み出しの速度が書き込みの速度より速く、主メモリに書き込みを行っているうちに自身の副メモリ、他方の主メモリ、副メモリの読み出しが終了してしまうために、オーバーラップさせるデータを記憶するために余分のメモリを設ける必要がないからである。このように、書き込みと読み出しの速度差に着目し、オーバーラップ部分のデータを格納するメモリを書き込み期間の後半の副メモリを用いるようにした当業者にとって、２度読み出す必要のある場合にオーバーラップ部分のデータを記憶する余分のメモリを設ければ良いことは当然に念頭にあることにすぎない。そして、余分のメモリをもてば書き込みの期間の空き時間を利用して読み出しを行うという工夫もいらず、タイミング調整が容易になり、融通が利くようになることは自明のことである。従って、オーバーラップした部分のデータを記憶した分割メモリを第１のメモリグループ（読み出して処理に利用）から第２のメモリグループ（書き込みで記憶）に切り換えるときに、メモリグループの切り換えから除くようにすることは容易に為し得ることである。
　
５．むすび
　したがって、請求項１に係る発明は、引用例１に記載された発明及び当該分野の技術常識に基いて当業者が容易に発明をすることができたものであるので、特許法第２９条第２項の規定により特許を受けることができない。
　よって、結論のとおり審決する。